(57)【要約】      （修正有）【課題】信頼性及び再現性が改善されたイオン化部を有するイオン移動度分析装置を提供する。【解決手段】蒸気試料１０２を分析するためのイオン移動度分析装置１００は、蒸気試料を受容するマルチリングイオン源１０４を含み、マルチリングイオン源は、一連のリングを含む。マルチリングイオン源の各リングは、その内面上にイオン化層を含み、蒸気試料の少なくとも一部を帯電させ、イオン化蒸気試料を生成する。【選択図】図１
2020160045.tif 000002
【特許請求の範囲】
【請求項１】
蒸気試料を受容するように構成されるマルチリングイオン源であって、前記マルチリングイオン源は一連のリングを含み、前記マルチリングイオン源の各リングはイオン化層をその内面上に含み、前記蒸気試料の少なくとも一部を帯電させ、イオン化蒸気試料を生成するように構成される、前記マルチリングイオン源、
を備える、前記蒸気試料を分析するためのイオン移動度分析装置。
【請求項２】
前記イオン化蒸気試料を前記イオン移動度分析装置の分析部に向けるように構成される前記マルチリングイオン源の下流に位置している電圧パルスを受信するための静電ゲート、
をさらに備える、請求項１に記載の前記イオン移動度分析装置。
【請求項３】
前記一連のリングの前記リングは、互いから電気的に絶縁される、請求項１に記載の前記イオン移動度分析装置。
【請求項４】
前記一連のリングの各リングは、そこを通る通路アレイを含む、請求項１に記載の前記イオン移動度分析装置。
【請求項５】
前記通路アレイは、ハニカムパターンを有する、請求項４に記載の前記イオン移動度分析装置。
【請求項６】
前記一連のリングは、軸沿いに同軸で直列に配置される、請求項１に記載の前記イオン移動度分析装置。
【請求項７】
前記一連のリングの各リングは、隣接するリングに間隙を含むように配置される、請求項１に記載の前記イオン移動度分析装置。
【請求項８】
前記マルチリングイオン源の下流に位置している逆電界イオン化ディスクをさらに備える、請求項１に記載の前記イオン移動度分析装置。
【請求項９】
前記逆電界イオン化ディスクは、前記静電ゲートの上流に位置している、請求項８に記載の前記イオン移動度分析装置。
【請求項１０】
前記逆電界イオン化ディスクは、イオン化コーティングを含む上流対向面を備える、請求項８に記載の前記イオン移動度分析装置。
【請求項１１】
前記逆電界イオン化ディスクは、そこを介してエアバッファガスを通すように構成されるアパーチャアレイを含む、請求項８に記載の前記イオン移動度分析装置。
【請求項１２】
前記逆電界イオン化ディスクは、前記一連のリングの直径に等しい直径を有する、請求項８に記載の前記イオン移動度分析装置。
【請求項１３】
前記一連のリングの各リングは、約２ｍｍ厚である、請求項１に記載の前記イオン移動度分析装置。
【請求項１４】
静電ゲートの上流に位置している蒸気試料を受容するように構成される下流に位置している逆電界イオン化ディスクであって、前記逆電界イオン化ディスクはイオン化コーティングを含む上流対向面を含む、前記逆電界イオン化ディスク、
を備える、前記蒸気試料を分析するためのイオン移動度分析装置。
【請求項１５】
前記逆電界イオン化ディスクは、そこを介してエアバッファガスを通すように構成されるアパーチャアレイを備える、請求項１４に記載の前記イオン移動度分析装置。
【請求項１６】
イオン移動度分析装置を使用して蒸気試料を分析する方法であって、
各含む一連のイオン化リングにキャピラリーカラムを介して蒸気試料を通し、
イオン化蒸気を生成するために、前記蒸気試料を前記一連のイオン化リングによってイオン化し、
前記イオン化蒸気を緩衝するために前記一連のイオン化リングの下流に位置しているイオン化ディスクを介してバッファガスを通し、
前記イオン化蒸気を下流の前記イオン移動度分析装置の分析部に渡す、
ことを備える、前記方法。
【請求項１７】
前記イオン化ディスクは、前記分析部からベータ粒子をそらす、請求項１６に記載の前記方法。
【発明の詳細な説明】
【技術分野】
【０００１】
本開示は、イオン移動度分析装置に関し、より具体的には特にイオン移動度分析装置のためのイオン源に関する。
【背景技術】
【０００２】
さまざまな装置が、イオン移動度分析装置の分野において知られている。具体的に、装置及び方法は、気相分子をイオン化し、電界を通してそれらを検出器に駆動することが知られている。イオン化源と検出器との間の所定の空間を横断するのにイオンが必要する時間は、イオン構造の特性であり、元の分子の同定についての情報を提供する。
【０００３】
従来の方法及びシステムは、一般に、それらの意図された目的には十分であるとみなされている。しかしながら、改善された信頼性及び再現性を有するイオン化部についての必要性が当該技術に依然としてある。また、経済的に実現可能である、これらのような改善及び構成要素についての必要性が当該技術に相変わらずある。本開示は、これらの残存する課題のうちの少なくとも１つに対する解決策を提供することができる。
【発明の概要】
【０００４】
蒸気試料を分析するためのイオン移動度分析装置は、蒸気試料を受容するためのマルチリングイオン源を含み、その中でマルチリングイオン源は、一連のリングを含み、マルチリングイオン源の各リングは、その内面上にイオン化層を含み、このイオン化層は、蒸気試料の少なくとも一部を帯電させ、イオン化蒸気試料を生成する。
【０００５】
イオン移動度分析装置は、イオン化蒸気試料をイオン移動度分析装置の分析部に向けるために、マルチリングイオン源の下流に位置している電圧パルスを受信する静電ゲートを含むことができる。一連のリングは、互いから電気的に絶縁され、約２ミリメートル厚であることができる。一連のリングは、同軸で直列に配置され、等しい直径を有することができる。一連のリングの各リングは、隣接するリング間に間隙を含むことができる。
【０００６】
一連のリングの各リングは、そこを通る通路アレイを含むことができる。通路アレイの各通路は、イオン化層を含むことができる。イオン化層は、ニッケル６３、または同様のものを含むことができる。通路アレイは、ハニカムまたは碁盤格子または同様のパターンを有することができる。
【０００７】
また、イオン移動度分析装置は、逆電界イオン化ディスクを含み、この逆電界イオン化ディスクは、一連のリングの直径に等しい、または類似した直径を有し、マルチリングイオン源の下流で静電ゲートの上流にあることができる。逆電界イオン化ディスクは、イオン化層を含む上流対向面を備えることができる。イオン化層は、ニッケルコーティングまたはニッケルホイルを備えることができる。逆電界イオン化ディスクは、そこを介してエアバッファガスを通すように構成されるアパーチャアレイを含むことができる。また、イオン移動度分析装置は、マルチリングイオン源なしで逆電界イオン化ディスクを使用することにより操作されることができる。
【０００８】
イオン移動度分析装置を使用して蒸気を分析する方法は、蒸気試料を一連のイオン化リングに通し、一連のイオン化リングを使用して蒸気試料をイオン化し、イオン化蒸気を生成し、バッファガスを一連のイオン化リングの下流に位置しているイオン化ディスクに通してイオン化蒸気を緩衝し、下流のイオン移動度分析装置の分析部にイオン化蒸気の少なくとも一部を渡すことを備える。イオン化ディスクは、分析部からベータ粒子をそらすことができる。
【０００９】
本開示のシステム及び方法のこれらの特徴、及び他の特徴は、図面と併せて好ましい実施形態の以下の詳細な説明から当業者により容易に明らかになるであろう。
【００１０】
そのため、本発明に関連する当業者は、過度な実験なく本発明の装置及び方法を行い、用いる方法を容易に理解し、それらの好ましい実施形態は、ある特定の図面を参照して本明細書の下記に詳細に記載されている。
【図面の簡単な説明】
【００１１】
【図１】マルチリングイオン源を示すイオン移動度分析装置の概略図である。
【図２】パターン化された断面を示す、図１のイオン源の斜視図である。
【図３】逆電界イオン化ディスクを示す、図１の逆電界部の斜視図である。
【発明を実施するための形態】
【００１２】
ここで、同様の参照番号が本発明の同様の構造特徴または態様を特定する、図面に参照を行う。説明及び例示のために、限定ではないが、本発明に従うマルチリングイオン源を含むイオン移動度分析装置の例示的な実施形態の部分図を図１に示し、参照記号１００によって全体的に示す。本発明、またはその態様に従うマルチリングイオン源の他の実施形態を、記述される通りに図２〜３に提供する。本発明のこれらの方法及びシステムを使用して、気体試料のイオン化を改善することができる。
【００１３】
ここで、図１〜３を参照して、蒸気試料１０２を分析するためのイオン移動度分析装置１００は、この蒸気試料１０２を受容するマルチリングイオン源１０４を含み、その中でマルチリングイオン源１０４は、一連のリング１０６を含む。マルチリングイオン源１０４の各リング１０６は、蒸気試料１０２の少なくとも一部を帯電させ、イオン化蒸気試料１１２を生成するために、イオン化層１０８をその内面１１０上に含む。
【００１４】
イオン移動度分析装置１００は、マルチリングイオン源１０４の下流に位置している電圧パルスを受信し、イオン化蒸気試料１１２をイオン移動度分析装置１００の分析部１１６に向ける静電ゲート１１４を含む。分析部１１６内にあると、イオン化蒸気試料１１２のイオンは、それらの質量電荷比及び衝突断面に基づき電界中で分離する。イオンの到達時間を検出器で測定し、飛行時間を使用してイオン同一性を決定する。
【００１５】
一連のリング１０６の各リングは、互いから電気的に絶縁され、約２ミリメートル厚である。一連のリング１０６は、同軸で直列に配置され、等しい直径を各有する。一連のリング１０６の各リングは、隣接するリング１０６との間に間隙１１８を含む。この配置は、イオン化領域を介して電界分布を改善するため、蒸気試料１０２中に形成されるイオンは、放射状に分散し、分析部１１６に到達する可能性がより高い。
【００１６】
一連のリング１０６の各リングは、そこを通る通路アレイ１２０を含む。通路アレイ１２０の各通路１２２は、イオン化層１０８を含む。イオン化層１０８は、ニッケル６３コーティングまたはホイルを含むことができる。通路アレイ１２０は、ハニカムまたは碁盤格子または同様のパターンを有することができる。このパターンは、イオン化面を増大し、蒸気試料１０２の完全イオン化の確率を改善する。
【００１７】
イオン移動度分析装置１００は、逆電界イオン化ディスク１２４を含み、この逆電界イオン化ディスクは、一連のリング１０６の直径に等しい、または類似した直径を有し、マルチリングイオン源１０４の下流で、静電ゲートの上流に位置している。逆電界イオン化ディスク１２４は、イオン化層１２７を含む上流対向面１２６を備える。イオン化層１２７は、ニッケルコーティングまたはホイルであることができる。また、逆電界イオン化ディスク１２４は、そこを介してエアバッファガス１３０を通すアパーチャアレイ１２８を含む。イオン化ディスク１２４及び一連のリング１０６は、既存の分光器中に組み込まれ、既存のイオン化部に取って代わることができる。また、イオン移動度分析装置１００は、マルチリングイオン源１０４なしで逆電界イオン化ディスク１２４を使用することによって操作されることができる。
【００１８】
イオン移動度分析装置１００を使用して蒸気試料１０２を分析する方法は、蒸気試料１０２を一連のイオン化リング１０６に通し、一連のイオン化リング１０６を使用して蒸気試料１０６をイオン化し、イオン化蒸気１１２を生成し、バッファガス１３０を一連のイオン化リング１０６の下流に位置しているイオン化ディスク１２４に通し、イオン化蒸気１１２の少なくとも一部をイオン移動度分析装置の分析部１１６に渡すことを備える。イオン化ディスク１２４は、ベータ粒子を分析部１１６からそらす。イオン化ディスク１２４は、イオン化面を含む。この構成は、イオン化が静電ゲートを越えて生じていた先ほどの課題を解決するのに役立つ。イオン化面に上流方向を示すことにより、ベータ粒子を分析部１１６からそらす。
【００１９】
本開示の方法及びシステムは、上述され、図面に示される通りに、向上した信頼性及び安定性を有する優れた特性を備える分析装置を提供する。本開示の装置及び方法が実施形態を参照して示され、記述されているが、当業者は、本開示の趣旨及び範囲から逸脱することなく、それらに変更及び／または修正を行うことができることを容易に理解するであろう。
【図１】
2020160045.tif 000003
【図２】
2020160045.tif 000004
【図３】
2020160045.tif 000005